(57)【要約】【課題】  本発明は、保守作業を簡易さを損なうことなく、悪戯による灰皿部材の盗難防止が充分に図られるようになる灰皿装置の提供。【解決手段】灰皿部材30の左方側面及び右方側面の各々に、Ｕ字形状の突条部33B, 35Bを突設し、灰皿部材30の左方側壁部33、底板部36及び右方側壁部35の外側を覆う略Ｕ字形の保持部材50を灰皿部材30にネジ29で固定する。この保持部材50には、突条部33B, 35Bの開放された端部を連結するラッチ部51A, 52Aが設けられているので、工具でネジ29を緩めないと、回転軸41が突条部33B, 35Bから外れない。従って、工具なしでは、灰皿部材30を取り外すことが困難となり、悪戯による灰皿部材30の盗難防止を充分に図ることができる一方、工具があれば、灰皿部材30を容易に取り外すことができ、保守作業の簡易さが何ら損なわれることがない。【選択図】    図６
2013056112.tif 000002
【特許請求の範囲】
【請求項１】
遊技機本体における遊技者と対向する前面を形成する前面部の所定部位に配置されるとともに、一面が開口部となった容器状に形成された灰皿部材を有し、この灰皿部材が、灰皿として使用される使用位置、及び、この使用位置から遊技者側へ所定寸法だけ離隔した清掃位置の二位置間を移動可能に設けられ、且つ、前記灰皿部材の前記開口部が上向きとなった正立姿勢位置、及び、前記開口部が下方を向いた倒立姿勢位置の一方から他方まで回転可能となるように、前記灰皿部材が軸支され、使用位置では、前記灰皿部材の所定部分が、遊技機本体に設けられた係止手段に係止され、正立姿勢位置から倒立姿勢位置への回転が不可能とされる一方、使用位置から移動して清掃位置に配置されると、前記係止手段による係止が解除され、正立姿勢位置から倒立姿勢位置まで前記灰皿部材の回転が可能とされ、倒立姿勢位置に到達すると、前記灰皿部材の内部に入ったものが下方へ排出可能となった灰皿装置であって、
前記灰皿部材には、容器状の底面を形成する略四角形状の底板部と、この底面部の端縁のうち、使用位置に配置されると、前記前面部に沿って近接配置される前方端縁から立ち上がるとともに、遊技者に対向する前方側面を有する前方側壁部と、前記底面部の前記前方端縁に対向する後方端縁から立ち上がるとともに、前記前方側壁部の前方側面とは反対側を向いた後方側面を有する後方側壁部と、遊技者側から見て前記底板部の左方に配置された端縁から立ち上がるとともに、遊技者側から見て左方を向いた左方側面を有する左方側壁部と、前記底面部の前記左方端縁に対向する右方端縁から立ち上がるとともに、前記左方側壁部の前記左方側面とは反対側を向いた右方側面を有する右方側壁部とが設けられ、
前記遊技機本体の前記前面部には、前記灰皿部材を内部に収納するために、前記灰皿部材に応じた大きさの凹みとして形成された凹部が設けられ、
この凹部は、内部に収納した前記灰皿部材の前記開口部及び前記前方側壁部を外部に露出させるために、前記灰皿部材の前記開口部及び前記前方側壁部に対応する部分が開放されたものとされ、
この凹部の内部には、使用位置及び清掃位置の二位置間を移動可能に前記灰皿部材を支持するために、前記灰皿部材を左右両側から保持する一対の腕部を有する支持アーム部材が、前記灰皿部材の移動方向に沿って移動可能に設けられ、
前記支持アーム部材が有する前記一対の腕部は、当該支持アーム部材の移動方向における両側にある前記凹部の内側面によって、互いに離れる方向への移動が規制されたものとなっており、
これら一対の腕部の各先端には、前記灰皿部材を回転可能に支持するために、互いに近接する方向に突き出た支軸が設けられ、
前記灰皿部材の前記左方側面及び前記右方側面の各々には、前記支持アーム部材側の前記支軸を受けるために、当該側面に沿って延びるとともに、端部が開放されたＵ字形状の突条部が当該側面から突出するように設けられ、
前記灰皿部材の前記底板部には、前記左方側壁部、当該底板部及び前記右方側壁部の外側を沿うように略Ｕ字形に形成された保持部材が、工具で固定操作される固定手段によって取り付けられ、
前記保持部材における略Ｕ字の端部近傍には、前記灰皿部材側の前記突条部の開放された端部を連結するラッチ部が形成され、
前記凹部の内部に設けられた前記支持アーム部材は、前記灰皿部材が倒立姿勢位置に倒立姿勢で配置され、この倒立姿勢位置で、前記支軸が前記灰皿部材側の前記突条部の内部に入っているとともに、前記保持部材側の前記ラッチ部が前記突条部の前記端部を連結した状態で、前記保持部材が前記灰皿部材の前記底板部に前記固定手段で取り付けられると、前記支軸がその周囲を前記突条部及び前記ラッチ部に囲まれるとともに、前記一対の腕部が前記凹部の内側面に移動規制されて、前記支軸が前記突条部から逸脱不可能となり、
前記灰皿部材は、前記突条部から逸脱不可能となった前記支軸によって回転可能に支持されることによって、前記遊技機本体から取り外し不可能となるように形成されていることを特徴とする灰皿装置。
【発明の詳細な説明】
【技術分野】
【０００１】
本発明は、一面が開口部となった容器状に形成されるとともに、遊技機本体における遊技者と対向する前面の所定位置で灰皿として使用される灰皿装置に関する。
【背景技術】
【０００２】
従来から、スロットマシンやパチンコ機等の遊技機は、一般的に、遊技者と対向する前面の下方部分に取り付けられた灰皿装置を備え、この灰皿装置を遊技者の遊技中の喫煙に供している。
【０００３】
このような遊技機の灰皿装置は、遊技機の清掃作業の便宜を図るために、上面が開口した容器状の灰皿部材を回転可能に設けられたものが一般的である。
すなわち、灰皿装置の灰皿部材は、遊技者が遊技を行っている時等の通常時には、開口が上向きにされ、その内部に煙草の灰や吸殻を溜めておけるようになっている。一方、清掃時には、開口が下向きとなるように回転させることで、内部に溜まった灰や吸殻を落下させ、下方に配置した容器に容易に回収可能とし、これにより、清掃作業の便宜を図ることができる。
【０００４】
また、前面が開口されるとともに、灰皿部材を収納可能な容積を有する箱状に形成された灰皿ケースを設け、灰皿部材を前面の開口から出し入れできるように、灰皿部材を略水平方向に摺動可能に支持するガイド部材を灰皿ケースの内部に設け、灰皿部材が前面の開口から出し入れ可能となった灰皿装置が提案されている（特許文献１参照）。
この灰皿装置のガイド部材は、灰皿ケースの互いに対向する一対の内側面に沿って略水平方向に延びるガイド溝と、灰皿部材の外側面から灰皿ケースの内側面に向かって突出するとともに、ガイド溝の内部に差し込まれて、当該ガイド溝に案内される突起部と、ガイド溝の途中に形成されるとともに、略Ｕ字形に折れ曲がって、ガイド溝に案内される突起部を係止する抜け止め迂回路とを備えたものとなっている。
このようなガイド部材の迂回路によれば、灰皿部材を引き出すにあたり、当該迂回路によって、灰皿部材の開口を露出させるが、灰皿部材の一部が灰皿ケースの内部に残る位置に灰皿部材が係止されるので、灰皿部材が不意に回転することが阻止され、遊技者が遊技中に、不用意に灰皿部材を引き出しても、灰皿部材が不意に回転せず、灰皿部材の回転による灰や吸殻の飛散が防止され、灰や吸殻の飛散によって、遊技者の衣服等が汚れることも未然に防止することができる。
【０００５】
【特許文献１】特開２００４−９７５５９号公報
【発明の開示】
【発明が解決しようとする課題】
【０００６】
前述のような灰皿装置では、ガイド部材のガイド溝における灰皿ケースの開口側に配置された端部を開口すれば、工具を利用しなくても、灰皿部材を灰皿ケースから取り外すことができ、灰皿ケースから取り外した灰皿部材を洗濯槽に漬けて灰皿部材を丸洗いすることができ、灰皿装置の清掃作業等の保守作業の便宜を図ることができるが、工具がなくても、灰皿部材を取り外すことができるので、悪戯で灰皿部材が取り外されるおそれがあり、悪戯による灰皿部材の盗難防止を充分に図ることができない、という問題がある。
一方、ガイド溝の端部を全く開口しなければ、灰皿部材を灰皿ケースから取り外すことが困難となり、悪戯による灰皿部材の盗難防止を図ることができるが、灰皿部材を灰皿ケースから取り外すことが面倒となるので、保守作業が簡易さが損なわれる。
【０００７】
本発明は、このような問題を解決するためになされたものであり、保守作業を簡易さを損なうことなく、悪戯による灰皿部材の盗難防止が充分に図られるようになる灰皿装置を提供することを目的とする。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１に記載された発明は、遊技機(１)本体における遊技者と対向する前面を形成する前面部(6D)の所定部位に配置されるとともに、一面が開口部(31)となった容器状に形成された灰皿部材(30)を有し、この灰皿部材(30)が、灰皿として使用される使用位置、及び、この使用位置から遊技者側へ所定寸法だけ離隔した清掃位置の二位置間を移動可能に設けられ、且つ、前記灰皿部材(30)の前記開口部(31)が上向きとなった正立姿勢位置、及び、前記開口部(31)が下方を向いた倒立姿勢位置の一方から他方まで回転可能となるように、前記灰皿部材(30)が軸支され、使用位置では、前記灰皿部材(30)の所定部分が、遊技機(１)本体に設けられた係止手段(22A) に係止され、正立姿勢位置から倒立姿勢位置への回転が不可能とされる一方、使用位置から移動して清掃位置に配置されると、前記係止手段(22A) による係止が解除され、正立姿勢位置から倒立姿勢位置まで前記灰皿部材(30)の回転が可能とされ、倒立姿勢位置に到達すると、前記灰皿部材(30)の内部に入ったものが下方へ排出可能となった灰皿装置(20)であって、前記灰皿部材(30)には、容器状の底面を形成する略四角形状の底板部(36)と、この底板部(36)の端縁のうち、使用位置に配置されると、前記前面部(6D)に沿って近接配置される前方端縁から立ち上がるとともに、遊技者に対向する前方側面を有する前方側壁部(32)と、前記底板部(36)の前記前方端縁に対向する後方端縁から立ち上がるとともに、前記前方側壁部(32)の前方側面とは反対側を向いた後方側面を有する後方側壁部(34)と、遊技者側から見て前記底板部(36)の左方に配置された端縁から立ち上がるとともに、遊技者側から見て左方を向いた左方側面を有する左方側壁部(33)と、前記底板部(36)の前記左方端縁に対向する右方端縁から立ち上がるとともに、前記左方側壁部(33)の前記左方側面とは反対側を向いた右方側面を有する右方側壁部(35)とが設けられ、前記遊技機(１)本体の前記前面部(6D)には、前記灰皿部材(30)を内部に収納するために、前記灰皿部材(30)に応じた大きさの凹みとして形成された凹部(21)が設けられ、この凹部(21)は、内部に収納した前記灰皿部材(30)の前記開口部(31)及び前記前方側壁部(32)を外部に露出させるために、前記灰皿部材(30)の前記開口部(31)及び前記前方側壁部(32)に対応する部分が開放されたものとされ、この凹部(21)の内部には、使用位置及び清掃位置の二位置間を移動可能に前記灰皿部材(30)を支持するために、前記灰皿部材(30)を左右両側から保持する一対の腕部(42)を有する支持アーム部材(40)が、前記灰皿部材(30)の移動方向に沿って移動可能に設けられ、前記支持アーム部材(40)が有する前記一対の腕部(42)は、当該支持アーム部材(40)の移動方向における両側にある前記凹部(21)の内側面によって、互いに離れる方向への移動が規制されたものとなっており、これら一対の腕部(42)の各先端には、前記灰皿部材(30)を回転可能に支持するために、互いに近接する方向に突き出た支軸(41)が設けられ、前記灰皿部材(30)の前記左方側面及び前記右方側面の各々には、前記支持アーム部材(40)側の前記支軸(41)を受けるために、当該側面に沿って延びるとともに、端部が開放されたＵ字形状の突条部(33A, 35A)が当該側面から突出するように設けられ、前記灰皿部材(30)の前記底板部(36)には、前記左方側壁部(33)、当該底���部(36)及び前記右方側壁部(35)の外側を沿うように略Ｕ字形に形成された保持部材(50)が、工具で固定操作される固定手段(29)によって取り付けられ、前記保持部材(50)における略Ｕ字の端部近傍には、前記灰皿部材(30)側の前記突条部(33A, 35A)の開放された端部を連結するラッチ部(51A, 52A)が形成され、前記凹部(21)の内部に設けられた前記支持アーム部材(40)は、前記灰皿部材(30)が倒立姿勢位置に倒立姿勢で配置され、この倒立姿勢位置で、前記支軸(41)が前記灰皿部材(30)側の前記突条部(33A, 35A)の内部に入っているとともに、前記保持部材(50)側の前記ラッチ部(51A, 52A)が前記突条部(33A, 35A)の前記端部を連結した状態で、前記保持部材(50)が前記灰皿部材(30)の前記底板部(36)に前記固定手段(29)で取り付けられると、前記支軸(41)がその周囲を前記突条部(33A, 35A)及び前記ラッチ部(51A, 52A)に囲まれるとともに、前記一対の腕部(42)が前記凹部(21)の内側面に移動規制されて、前記支軸(41)が前記突条部(33A, 35A)から逸脱不可能となり、前記灰皿部材(30)は、前記突条部(33A, 35A)から逸脱不可能となった前記支軸(41)によって回転可能に支持されることによって、前記遊技機(１)本体から取り外し不可能となるように形成されていることを特徴とする。
【発明の効果】
【００１０】
（請求項１の効果）
以上のように構成されている本発明は、以下に記載されるような効果を奏する。
すなわち、請求項１記載の発明によれば、遊技機本体の前面部には、灰皿部材を内部に収納する凹部を設け、この凹部の内部に、灰皿部材を左右両側から保持する一対の腕部を有する支持アーム部材を設け、一対の腕部の各先端に、灰皿部材を回転可能に支持する支軸を設け、これにより、灰皿部材を回転可能としたので、清掃時には、灰皿部材を回転させて、灰皿部材の開口部を下向きすることで、内部に溜まった灰や吸殻を落下させれば、灰皿部材内の灰や吸殻を、下方に配置した容器に容易に回収することができ、従って、清掃作業の便宜を図ることができる。
また、灰皿部材を使用位置及び清掃位置の二位置間について移動可能に設け、使用位置で灰皿部材を回転不可能に係止する係止手段を設け、これにより、使用位置では、灰皿部材が正立姿勢に保持されるようにしたので、清掃を行わないときは、灰皿部材が不意に回転して倒立することがなく、従って、灰皿部材の不意の回転による灰や吸殻の飛散が防止され、灰や吸殻の飛散によって、遊技者の衣服等が汚れることも未然に防止できる。
さらに、灰皿部材の左方側面及び右方側面の各々には、支持アーム部材側の支軸を受けるＵ字形状の突条部を突設し、灰皿部材の左方側壁部、底板部及び右方側壁部の外側を沿った略Ｕ字形に形成された保持部材を設け、この保持部材に、灰皿部材側の突条部の開放された端部を連結するラッチ部(51A, 52A)を設け、工具で固定操作される固定手段によって、保持部材が灰皿部材の底板部に固定されると、保持部材に設けられたラッチ部が灰皿部材側の突条部の開放された端部がラッチ部で連結され、支軸は、ラッチ部及び突条部によって囲われ、当該支軸の径方向への移動が阻止され、径方向への移動によって、ラッチ部及び突条部の内部から外部へ逸脱させることが不可能となる。
また、支持アーム部材に設けられた一対の腕部は、凹部の内側面によって互いに離れる方向への移動が規制されているので、一対の支軸の各々は、当該支軸の軸方向への移動が阻止され、これにより、当該支軸をラッチ部及び突条部の内部から抜くことができず、ラッチ部及び突条部の内部から外部へ逸脱させることも不可能となる。
ここで、工具の操作で固定手段の固定を解除しなければ、保持部材は、灰皿部材の底板部から容易に外すことができない、換言すると、工具なしでは、灰皿部材を遊技機本体から取り外すことが困難となるので、悪戯により灰皿部材が遊技機本体から取り外されるおそれがなくなり、悪戯による灰皿部材の盗難防止を充分に図ることができる。
一方、工具の操作で固定手段の固定を解除すれば、保持部材が灰皿部材の底板部から外れ、灰皿部材の突条部の端部が開放されるので、支軸をラッチ部及び突条部の内部から容易に逸脱させることができ、これにより、灰皿部材を遊技機本体から容易に取り外すことができ、従って、保守作業が簡易さが何ら損なわれることがなく、以上により、前記目的が達成される。
【図面の簡単な説明】
【００１１】
【図１】本発明の一実施形態に係るスロットマシンを示す正面図である。
【図２】図１のII−II線における拡大断面図である。
【図３】図２のIII−III線における断面図である。
【図４】前記実施形態に係る灰皿装置のみを示す斜視図である。
【図５】前記実施形態に係る灰皿装置を上方から示す分解斜視図。
【図６】前記実施形態に係る灰皿装置を下方から示す分解斜視図。
【発明を実施するための形態】
【００１２】
以下に、本発明を実施するための形態である一実施形態について、図面を参照しながら説明する。
（スロットマシン１の概要）
図１には、本発明の一実施形態に係る遊技機であるスロットマシン１が示されている。図１において、スロットマシン１は、三個の回転リール11の各々に記された複数種類の図柄が所定の組み合わせとなるように、回転している回転リール11を停止させる遊技を行うものである。
このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１３】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１４】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００１５】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００１６】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００１７】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００１８】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
この受皿ユニット６には、喫煙する遊技者の煙草の灰や吸殻を受けるために、本発明に基づく灰皿装置20が、受皿部6Aの図１中左端に隣接して設けられている。
【００１９】
（灰皿装置20の概略）
灰皿装置20は、図１中上方を向いた一面が開口部31となった容器状に形成された灰皿部材30を有するものである。この灰皿部材30は、図１及び図２に示すように、スロットマシン１の本体における遊技者と対向する前面を形成する前面部6Dの所定位置、具体的には、図１中左側下部の角隅近傍で灰皿として使用される位置に配置されている。
ここで、灰皿部材30は、図２及び図３に示すように、灰皿として使用される使用位置α、及び、この使用位置αから遊技者側に離間した清掃位置βの二位置間を摺動可能にスロットマシン１に設けられている。
また、灰皿部材30は、図３の如く、一面が開口部31となった容器状に形成されたものである。そして、この灰皿部材30は、清掃位置βに配置された状態において、開口部31が上向きとなった正立姿勢位置ａ、及び、開口部31が下方を向いた倒立姿勢位置ｄの一方から他方まで、開口部31が遊技者側を向く中間姿勢位置ｃを経由して回転可能に軸支されたものとなっている。
【００２０】
（灰皿装置20の詳細）
このような灰皿装置20について、以下に詳しく説明する。
すなわち、灰皿装置20は、灰皿部材30に加えて、図４〜図６に示すように、灰皿部材30を両側から抱え込んで支持するためにＵ字状に形成された支持アーム部材40と、灰皿部材30を軸支するために支持アーム部材40に形成された後述する回転軸41を保持する保持部材50とを備えたものとなっている。
【００２１】
ここで、スロットマシン１の前面部6Dには、図５の如く、灰皿装置20の灰皿部材30を内部に収納可能な容積を有する凹部として収納凹部21が形成されている。
収納凹部21の図５中背面側に配置された内側面22には、灰皿部材30が正立姿勢位置から回転不可能にするために灰皿部材30を係止する係止手段である係止穴22A と、支持アーム部材40の後述する一対の腕部42をそれぞれ挿通する一対の挿通孔22B とが設けられている。
【００２２】
また、収納凹部21の図５中左右両側に配置された側面23, 24には、一対の挿通孔22B のそれぞれに挿通された支持アーム部材40の腕部42を内部に収納可能な大きさの溝部23A, 24Aが設けられている。
支持アーム部材40の腕部42は、回転軸41以外の部分が溝部23A, 24Aの内部に収納され、回転軸41のみが側面23, 24から収納凹部21の内部へ突出するようになっている。
ここで、溝部23A, 24Aの底面は、収納凹部21の内側面である側面23, 24の一部分を形成している。そして、支持アーム部材40が有する一対の腕部42は、当該支持アーム部材40の移動方向における両側にある収納凹部21の側面23, 24によって、互いに離れる方向への移動が規制されたものとなっている。
【００２３】
灰皿部材30は、図５及び図６に示すように、上方を向いた開口部31の周囲を囲むように形成された四つの側壁部32〜35と、容器状に形成された当該灰皿部材30の底となる底部36とを備えたものとなっている。
換言すると、灰皿部材30には、図５及び図６の如く、容器状の底面を形成する略四角形状の底板部36と、この底板部36の端縁のうち、使用位置に配置されると、前面部6Dに沿って近接配置される端縁から立ち上がるとともに、遊技者に対向する前方側面を有する前方側壁部32と、底板部36の前方端縁に対向する後方端縁から立ち上がるとともに、前方側壁部32の前方側面とは反対側を向いた後方側面を有する後方側壁部34と、遊技者側から見て底板部36の左方に配置された端縁から立ち上がるとともに、遊技者側から見て左方を向いた左方側面を有する左方側壁部33と、底板部36の左方端縁に対向する右方端縁から立ち上がるとともに、左方側壁部33の左方側面とは反対側を向いた右方側面を有する右方側壁部35とが設けられている。
以上において、スロットマシン１の前面部6Dに設けられた収納凹部21は、内部に収納した灰皿部材30の開口部31及び前方側壁部32を外部に露出させるために、灰皿部材30の開口部31及び前方側壁部32に対応する部分が開放されたものとされている。
【００２４】
ここで、灰皿部材30における図５中前面の前方側壁部32の上端縁には、煙草を係止する凹部32A が形成されている。
また、灰皿部材30における図５中左右の左方側壁部33及び右方側壁部35における左方側面及び右方側面の各々には、支持アーム部材40の回転軸41を受けるために、左方側面及び右方側面のそれぞれに沿って延びるとともに、端部が開放されたＵ字形状の突条部33A, 35Aと、灰皿部材30の摺動方向に沿って位置がずれないように保持部材50を固定するための突条部33B, 35Bとが左方側面及び右方側面からそれぞれ突出するように設けられている。なお、突条部33A, 35Aの開口は、横向きとなっている。
【００２５】
ここにおいて、灰皿部材30の底板部36には、左方側壁部33、当該底板部36及び右方側壁部35の外側を沿うように略Ｕ字形に形成された保持部材50が、図６に示すように、工具で固定操作される固定手段であるネジ29によって取り付けられるようになっている。
【００２６】
図６において、灰皿部材30における図６中背面側の後方側壁部34には、スロットマシン１本体としての受皿ユニット６に向かって突出する被係止部34A が設けられている。
この被係止部34A は、灰皿部材30の摺動方向に沿って延びる平板部34B と、被係止部34A を補強するために、平板部34B の先端と後方側壁部34とを連結する三角形状のスチフナ部34C とを備えたものとなっている。
一方、受皿ユニット６には、図５の如く、使用位置αに配置されている状態の灰皿部材30の被係止部34A を係止する係止手段として係止穴22A が形成されている。
【００２７】
以上において、灰皿部材30は、使用位置αでは、受皿ユニット６側に形成された係止穴22A に被係止部34A が係止され、正立姿勢位置ａから倒立姿勢位置ｄへの回転が不可能となっている。
また、灰皿部材30は、使用位置αから移動して清掃位置βに配置されると、被係止部34A が係止穴22A の外部へ離脱し、係止穴22A による被係止部34A の係止が解除され、正立姿勢位置ａから倒立姿勢位置ｄまで回転可能となるように形成されている。
【００２８】
灰皿部材30の底板部36は、図６の如く、二段の階段状に形成され、上側の上段部36A と下側の下段部36B と、上段部36A 及び下段部36B を相互に連結する段差面部36C とを有するものとなっている。
このうち、上段部36A における、図６中、下側の面には、下方へ突出するとともに略円筒状に形成されたボス部36D と、ボス部36D と同様に下方へ突出するとともに、四角柱状に形成された係止突条部36E とが設けられている。
【００２９】
支持アーム部材40は、スロットマシン１の本体側、具体的には、受皿ユニット６に設けられるものであって、灰皿部材30を回転可能に支持する部材である。
さらに詳しく説明すると、支持アーム部材40は、図５及び図６の如く、前述した一対の腕部42と、腕部42の基端を相互に連結する連結基部43とを備えたＵ字状の部材である。
これら一対の腕部42の各先端には、灰皿部材30を回転可能に支持するために、互いに近接する方向に突き出た支軸である回転軸41が設けられている。
このような支持アーム部材40は、一対の腕部42が、受皿ユニット６の裏側から挿通孔22B を通って、受皿ユニット６の表側に形成された収納凹部21の内部に配置され、これらの腕部42で灰皿部材30を両側から抱え込み、腕部42の先端の回転軸41が灰皿部材30の突条部33A, 35Aに受けられ、これにより、回転軸41で灰皿部材30を回転可能に軸支するものとなっている。
以上において、収納凹部21の内部には、使用位置及び清掃位置の二位置間を移動可能に灰皿部材30を支持するために、灰皿部材30を左右両側から保持する一対の腕部42を有する支持アーム部材40が、灰皿部材30の移動方向に沿って移動可能に設けられている。
【００３０】
支持アーム部材40の連結基部43は、当該連結基部43を腕部42の延出方向に沿って貫通するガイド孔43A と、腕部42の延出方向に沿って延びる円筒状に形成されるとともに、ガイド孔43A の両側に配置された一対のスライド部43B とを備えたものとなっている。
一方、受皿ユニット６には、図６の如く、収納凹部21における内側面22とは反対側の面25から支持アーム部材40側へ向かって突出するバネ案内ボス部26と、バネ案内ボス部26の両側に配置された一対のスライド案内ボス部27とが設けられている。
支持アーム部材40は、腕部42が受皿ユニット６の挿通孔22B に挿通されるのと同時に、ガイド孔43A 及びスライド部43B の内部に、受皿ユニット６側のバネ案内ボス部26及びスライド案内ボス部27が挿通されるようになっている。
また、支持アーム部材40及び受皿ユニット６の間には、図２にも示すように、バネ案内ボス部26を内部に挿通させ状態で配置されるとともに、支持アーム部材40を受皿ユニット６側に引き寄せる方向に付勢するコイルバネ28が介装されている。
【００３１】
以上のような支持アーム部材40に支持される灰皿部材30は、コイルバネ28に弾性力に抗する外力が加えられると、受皿ユニット６側のスライド案内ボス部27にスライド部43B が案内されて、使用位置αから清掃位置βへ摺動可能となっている。
そして、灰皿部材30は、前述の外力が解除されると、コイルバネ28に弾性力によって、清掃位置βから使用位置αへ自動的に復帰するようになっている。
【００３２】
また、支持アーム部材40には、図５及び図６の如く、一対の腕部42における互いに対向する面から互いに近づくように突出する一対の突条部44が設けられている。
この突条部44は、正立姿勢位置ａから回転を開始した灰皿部材30を、後述する途中停止位置ｂに停止させることが可能とするために、スロットマシン１本体に設けられた停止係合部である。
【００３３】
保持部材50は、灰皿部材30と一体化される部材であり、灰皿部材30の側壁部33, 35のそれぞれに沿わせる側板部51, 52と、灰皿部材30の底板部36に沿わせるとともに、側板部51, 52の下端縁同士を連結する底板部53とを有するものとなっている。
このうち、側板部51, 52のそれぞれには、灰皿部材30の突条部33A, 35Aに受けられた支持アーム部材40の回転軸41が突条部33A, 35Aから外れないように、突条部33A, 35Aの開口を閉じるラッチ部51A, 52Aと、灰皿部材30の突条部33B, 35Bが内部に嵌合されるスリット51B, 52Bと、支持アーム部材40の突条部44に形成される半球状突起51C, 52Cとが設けられている。
以上において、ラッチ部51A, 52Aは、保持部材50における略Ｕ字の端部近傍に形成され、且つ、灰皿部材30側の突条部44の開放された端部を連結するものとなっている。また、ラッチ部51A, 52Aは、保持部材50の端部から略Ｕ字の底部へ向かうとともに、保持部材50の側板部51, 52における突条部44側の端縁に沿って延びたものとなっている。
【００３４】
ここで、半球状突起51C, 52Cは、支持アーム部材40に設けられた停止係合部としての突条部44に係止される被係合突起部となっている。
また、側板部51, 52のそれぞれには、半球状突起51C, 52Cの近傍にスリット51D, 52Dが設けられ、これらのスリット51D, 52Dによって、弾性変形可能な帯状に形成された舌部51E, 52Eが設けられている。
前述の半球状突起51C, 52Cは、舌部51E, 52Eの先端に形成され、舌部51E, 52Eの弾性変形によって突条部44から離れる方向へ変位可能となっている。
【００３５】
また、底板部53には、灰皿部材30の底板部36に形成されたボス部36D を内部に収納するために、図６中、下方へ突出する膨出部53A と、灰皿部材30の底板部36に形成された一対の係止突条部36E の間に挟み込まれる突片部53C とが設けられている。
このうち、膨出部53A の頂部には、図６の如く、ネジ29を挿通させるネジ挿通孔53B が形成されている。
【００３６】
以上のような保持部材50は、灰皿部材30が倒立姿勢位置ｄに配置されるとともに、支持アーム部材40の回転軸41が突条部33A, 35Aの内部に納められた状態において、逆さとなった灰皿部材30の上から当該灰皿部材30に被され、これにより、灰皿部材30の側壁部33, 35及び底板部36の上段部36A を覆うものとなっている。
この際、保持部材50は、底板部53が灰皿部材30側の段差面部36C と係止突条部36E との間に挟み込まれ、且つ、当該底板部53に形成された突片部53C が、灰皿部材30側に形成された一対の係止突条部36E の間に挟み込まれ（図４参照）、さらに、当該底板部53の膨出部53A の内部に、灰皿部材30の底板部36に形成されたボス部36D が収納された状態となっている。
また、保持部材50は、側板部51, 52のそれぞれに形成されたラッチ部51A, 52Aが、支持アーム部材40の回転軸41を内部に収納した突条部33A, 35Aの開口を閉じる位置に配置され（図３参照）、且つ、側板部51, 52に形成されたスリット51B, 52Bの内部に、灰皿部材30側の突条部33B, 35Bが嵌め込まれた状態となっている。
【００３７】
このような状態となった保持部材50は、その膨出部53A の頂部に形成されたネジ挿通孔53B に挿通されたネジ29を、灰皿部材30の底板部36に形成されたボス部36D に螺合させることで、灰皿部材30に固定されている。
ここで、保持部材50は、その底板部53が灰皿部材30側の段差面部36C と係止突条部36E との間に挟み込まれ、且つ、側板部51, 52に形成されたスリット51B, 52Bの内部に、灰皿部材30側の突条部33B, 35Bが嵌め込まれ、これにより、ラッチ部51A, 52Aが突条部33A, 35Aから離れて突条部33A, 35Aを開口させる方向へ移動しないように、同方向に対して強固に固定されている。
【００３８】
ここにおいて、収納凹部21の内部に設けられた支持アーム部材40は、灰皿部材30が倒立姿勢位置ｄに倒立姿勢で配置され、この倒立姿勢位置ｄで、回転軸41が灰皿部材30側の突条部33A, 35Aの内部に入っているとともに、保持部材50側のラッチ部51A, 52Aが突条部33A ,35Aの端部を連結した状態で、保持部材50が灰皿部材30の底板部53にネジ29で取り付けられると、回転軸41がその周囲を突条部33A ,35A及びラッチ部51A, 52Aに囲まれるとともに、一対の腕部42が収納凹部21の内側面に移動規制されて、回転軸41が突条部33A ,35Aから逸脱不可能となるように形成されている。
以上により、灰皿部材30は、その底板部53に保持部材50が固定されると、突条部33A ,35Aから回転軸41が逸脱不可能となり、突条部33A ,35Aから逸脱不可能となった回転軸41によって回転可能に支持されることによって、スロットマシン１から取り外し不可能となるように形成されている。
【００３９】
以上において、灰皿部材30は、図３の如く、使用位置αでは、スロットマシン１の本体側、具体的には、受皿ユニット６に設けられた係止穴22A に被係止部34A が係止され、正立姿勢位置ａから倒立姿勢位置ｄへの回転が不可能となっている。
一方、灰皿部材30は、使用位置αから移動して清掃位置βに配置されると、係止穴22A による被係止部34A の係止が解除され、正立姿勢位置ａから倒立姿勢位置ｄまで回転可能となるように形成されている。
ここで、正立姿勢位置ａから倒立姿勢位置ｄへ向かって回転を開始した灰皿部材30は、正立姿勢位置ａから中間姿勢位置ｃに至るまでの途中の位置である途中停止位置ｂに達すると、半球状突起51C, 52Cが支持アーム部材40側に形成された突条部44と係止し、これにより、途中停止位置ｂで停止するようになっている。
そして、途中停止位置ｂに停止した灰皿部材30は、さらに、倒立姿勢位置ｄへ向かって回転させる外力が加えられると、当該外力によって、保持部材50の舌部51E, 52Eが弾性変形し、半球状突起51C, 52Cが支持アーム部材40側の突条部44から離れる方向へ変位し、突条部44による半球状突起51C, 52Cの係止が解除され、途中停止位置ｂから倒立姿勢位置ｄへ向かって回転を開始するように形成されている。
【００４０】
前述のような本実施形態によれば、次のような効果が得られる。
すなわち、スロットマシン１の前面部6Dに、灰皿部材30を内部に収納する収納凹部21を設け、この収納凹部21の内部に、灰皿部材30を左右両側から保持する一対の腕部42を有する支持アーム部材40を設け、さらに、一対の腕部42の各先端に、灰皿部材30を回転可能に支持する回転軸41を設け、以上により、灰皿部材30を回転可能としたので、清掃時には、灰皿部材30を回転させて、灰皿部材30の開口部を下向きすることで、内部に溜まった灰や吸殻を落下させ、灰皿部材30内の灰や吸殻が下方の容器に容易に回収可能となり、これにより、清掃作業の便宜を図ることができる。
【００４１】
また、灰皿部材30を使用位置α及び清掃位置βの二位置間について移動可能に設け、使用位置αで灰皿部材30を回転不可能に係止する係止手段として、灰皿部材30の被係止部34A を係止する係止穴22A を設け、これにより、使用位置αでは、灰皿部材30が正立姿勢に保持されるようにしたので、清掃を行わないときは、灰皿部材30が不意に回転して倒立することがなく、従って、灰皿部材30の不意の回転による灰や吸殻の飛散が防止され、灰や吸殻の飛散によって、遊技者の衣服等が汚れることも未然に防止できる。
【００４２】
さらに、灰皿部材30の左方側面及び右方側面の各々に、支持アーム部材40側の回転軸41を受けるＵ字形状の突条部33B, 35Bを突設し、灰皿部材30の左方側壁部33、底板部36及び右方側壁部35の外側を沿った略Ｕ字形に形成されている保持部材50を設け、この保持部材50に、灰皿部材30側の突条部33B, 35Bの開放された端部を連結するラッチ部51A, 52Aを設け、工具で固定操作されるネジ29によって、保持部材50が灰皿部材30の底板部36に固定されると、保持部材50に設けられたラッチ部51A, 52Aが灰皿部材30側の突条部33B, 35Bの開放された端部を連結し、回転軸41は、ラッチ部51A, 52A及び突条部33B, 35Bによって囲われ、当該回転軸41の径方向への移動が阻止され、従って、ラッチ部51A, 52A及び突条部33B, 35Bの内部から外部へ回転軸41が逸脱することを阻止することができる。
【００４３】
また、支持アーム部材40に設けられた一対の腕部42は、収納凹部21の内側面によって互いに離れる方向への移動が規制されているので、一対の回転軸41の各々は、当該回転軸41の軸方向に沿って離れることが阻止され、これにより、当該回転軸41をラッチ部51A, 52A及び突条部33B, 35Bの内部から抜くことができず、この点からも、ラッチ部51A, 52A及び突条部33B, 35Bの内部から外部へ回転軸41が逸脱することを阻止することができる。
ここで、工具の操作でネジ29による固定を解除しなければ、保持部材50は、灰皿部材30の底板部36から容易に外すことができない、換言すると、工具なしでは、灰皿部材30をスロットマシン１から取り外すことが困難となるので、悪戯により灰皿部材30がスロットマシン１から取り外されるおそれがなくなり、悪戯による灰皿部材30の盗難防止を充分に図ることができる。
一方、工具を利用すれば、ネジ29による固定を容易に解除でき、ネジ29による固定を解除すれば、保持部材50が灰皿部材30の底板部36から外れ、灰皿部材30の突条部33B, 35Bの端部が開放され、ラッチ部51A, 52A及び突条部33B, 35Bの内部から回転軸41を容易に逸脱させることができ、これにより、灰皿部材30を遊技機本体から容易に取り外すことができ、従って、保守作業の簡易さが何ら損なわれることがない。
【００４４】
なお、本発明は、前記実施形態に限定されるものではなく、本発明の目的を達成できる範囲における変形及び改良などをも含むものである。
例えば、固定手段としては、ネジに限らず、灰皿部材30の底板部36の底面に突設されたロッドと、このロッドの先端に設けられた周回溝に嵌め込まれるＥ型止め輪（いわゆるＥリング）とを備えた固定手段でもよく、固定手段の具体的な構成、構造は、実施に当たり適宜選択することができる。
なお、Ｅ型止め輪を有する固定手段を採用した場合、保持部材50のネジ挿通孔53B に前述のロッドを挿通し、ネジ挿通孔53B に挿通されたロッドの先端に、前述のＥ型止め輪を嵌め込めば、保持部材50を灰皿部材30の底板部36に固定することができる。
また、遊技機としては、スロットマシンに限らず、遊技球を遊技媒体とするパチンコ機等の弾球遊技機や、動画を見ながらボタンやレバー等の操作を行うアーケード遊技機でもよく、要するに、本発明は、灰皿を備えた遊技機全般に適用できる。
【符号の説明】
【００４５】
1      遊技機としてのスロットマシン      6D     前面部
20      灰皿装置                          21      凹部としての収納凹部
22A     係止手段としての係止穴            30      灰皿部材
31      開口部                            32      前方側壁部
33      左方側壁部                        33A     突条部
34      後方側壁部                        35      右方側壁部
35A     突条部                            36      底板部
39      固定手段としてのネジ              40      支持アーム部材
41      支軸としての回転軸                42      腕部
50      保持部材                          51A     ラッチ部
52A     ラッチ部
【図１】
2013056112.tif 000003
【図２】
2013056112.tif 000004
【図３】
2013056112.tif 000005
【図４】
2013056112.tif 000006
【図５】
2013056112.tif 000007
【図６】
2013056112.tif 000008